(57)【要約】【課題】メディアライブラリに登録されている用紙や現場に存在する用紙の種類は膨大であり、ユーザが最適な用紙設定を迅速かつ的確に行うことは困難であるという問題がある。【解決手段】画像形成装置には、出力媒体に関する情報を有するデータベースを備え、前記データベースより出力媒体の情報を有する画像を形成する手段と、前記形成された画像を印刷する手段と、前記印刷された画像を読み込む手段と、前記読み込まれた情報より出力媒体に関する情報を取得する手段と、前記取得した情報より前記データベースの情報と関連付ける手段を備えている。それらの手段により、膨大な種類の用紙設定を迅速かつ的確に行うことが可能な画像形成装置システムを構築する。【選択図】        図１
2007079701.tif 000002
【特許請求の範囲】
【請求項１】
画像データから画像を生成する第一の画像生成手段と、前記画像生成手段で生成された画像を出力媒体上に形成する第一の画像形成手段とからなり、前記第一の画像生成手段は出力媒体に関するデータベースを有する画像形成装置システムにおいて、前記データベースのデータを取得する出力媒体データ取得手段と、前記出力媒体データ取得手段が取得した出力媒体データの情報を有する画像を生成する第二の画像生成手段を有することを特徴とする画像形成装置システム。
【請求項２】
請求項１記載の画像形成装置システムにおいて、前記第二の画像生成手段で生成された画像を出力媒体上に形成する第二の画像形成手段を備えることを特徴とする画像形成装置システム。
【請求項３】
請求項１記載の画像形成装置システムにおいて、前記第二の画像形成手段により出力媒体上に形成された画像を読み込む読み込み手段を備えることを特徴とする画像形成装置システム。
【請求項４】
請求項１記載の画像形成装置システムにおいて、前記読み込み手段によって読み込まれた画像から出力媒体データに関するデータを取得するデータ取得手段を備えることを特徴とする画像形成装置システム。
【請求項５】
請求項１記載の画像形成装置システムにおいて、前記データ取得手段が取得した出力媒体データから前記データベースに登録されている出力媒体データを検索する検索手段と、前記検索手段により検索された出力媒体データを取得する検索データ取得手段を備えることを特徴とする画像形成装置システム。
【請求項６】
請求項１の画像形成装置システムにおいて、前記検索手段により検索された出力媒体データに対して前記データ取得手段が取得した出力媒体データを登録する登録手段と、すでに出力媒体データが存在する場合に出力媒体データを変更する変更手段を備えることを特徴とする画像形成装置システム。
【請求項７】
請求項１記載の画像形成装置システムにおいて、前記登録手段により前記データベースに出力媒体の保管場所名を登録する保管場所登録手段と、前記データベースに出力媒体のストック数を登録するストック登録手段と、使用された出力媒体に応じて前記ストック登録手段により登録されたストック数を計算する算出手段を備えることを特徴とする画像形成装置システム。
【請求項８】
請求項１記載の画像形成装置システムにおいて、前記保管場所登録手段により登録されている保管場所と前記ストック登録手段により登録されているストック数を表示する表示手段と、前記第一の画像形成手段に必要な出力媒体がセットされていない場合に前記表示手段により表示させる出力媒体セット指示手段と、前期算出手段により算出されたストック数が設定数より少なくなった場合に前記表示手段により表示させるストック数通知手段を備えることを特徴とする画像形成装置システム。
【発明の詳細な説明】
【技術分野】
【０００１】
本発明は、入力された印字データを記録紙に印字し、この記録紙を出力するカラープリンタ等に代表される画像形成装置システムに関するものである。
【背景技術】
【０００２】
従来、画像の入出力を行う画像形成装置として図１に示すような、コピー機能、プリンタ機能、さらにはファクシミリ機能等を有する複合画像処理を実行することが可能な画像入出力処理装置、いわゆるマルチファンクションデジタル複写機１０１のようなものが知られている。
【０００３】
図１は、この種の画像形成装置のシステム構成を説明するブロック図であり、フルカラーマルチファンクションデジタル複写機の場合に対応し、紙などに記録されている原稿画像を読み取るスキャナ１０３と、読み取った画像、あるいはホストコンピュータから送られてくる画像を紙などのメディアに出力するプリンタ１０４で構成されており、さらにこれらのスキャナ１０３、プリンタ１０４の動作を制御したり、あるいは種々の画像処理を施すデバイスコントローラ１０５、機器の操作を使用者に提供する操作部１０２、また画像データや処理プログラムを一時的あるいは恒久的に記憶するメモリ１０６およびハードディスク１０７などから構成される。
【０００４】
このようなフルカラーマルチファンクションデジタル複写機では、単に原稿画像を複写するということだけでなく、原稿画像に種々の画像処理を施して複写することもできる。
【０００５】
例えば、原稿の白黒を反転させるネガポジ反転処理、原稿の一部のみを複写するトリミング処理、複数の原稿を縮小して一枚の出力用紙に上に合成する縮小レイアウト処理などといった多様な画像処理を行うことが可能である。
【０００６】
また、前記画像形成装置とホストコンピュータとをコントローラを介して接続し、前記ホストコンピュータで作成されたカラー画像を、前記コントローラによってラスター画像化し、前記コントローラ内部のメモリに保持した後に、カラーレーザープリンターとして前記画像形成装置に印刷する画像形成装置システムが考案されている。
【０００７】
前記ラスター画像化時にはシャープネスフィルタ処理、トラッピング処理、オーバープリント処理、色処理等の様々な画像処理が施されるが、特に色処理においてはトナー等の色材の違いや転写剤としての紙の種類によって再現される色が大きく異なるため、用紙やプリントデバイスの色再現特性を記述したカラープロファイルを参照した色変換システムが実用化されている。
【０００８】
カラープロファイルはＩＣＣ（Ｉｎｔｅｒｎａｔｉｏｎａｌ  Ｃｏｌｏｒ  Ｃｏｎｓｏｔｉｕｍ）によって規定されたＩＣＣプロファイルが一般的に用いられるが、ＩＣＣプロファイルのうちでも、入力デバイス側の色特性を記述したソースプロファイルと、出力側の色特性を記述した出力プロファイルの２つを用いる方法が広く用いられている。この方法によれば、入力データをソースプロファイルを参照してデバイスに依存しないカラースペース（ＰＣＳ：Ｐｒｏｆｉｌｅ  Ｃｏｎｎｅｃｔｉｏｎ  Ｓｐａｃｅ）に変換した後、出力プロファイルを参照して出力デバイスに最適化したカラーデータに変換する。
【０００９】
さらに別のＩＣＣプロファイルとして、デバイスリンクプロファイルが規定されている。デバイスリンクプロファイルは、入力データを出力データに変換する際にダイレクトに変換するための変換テーブルを保持しており、このため入力データから出力データに変換する際に１つのデバイスリンクプロファイルを参照することで色変換がなされる。
【００１０】
画像形成装置が扱うことができる用紙の種類に関しては、普通紙、厚紙、コート紙、再生紙、色紙、トランスペアレンシーなど多種多様な用紙を使用して印刷することが可能になっている。また、一般的な普通紙などといった用紙種類だけでなく特定の用紙銘柄を指定し、その用紙銘柄に最適の条件で印刷することも可能になっている。そのため、画像形成装置を制御するデバイスコントローラ１０５では画像形成装置が対応している用紙についての属性をデータとするプリンタ用紙データベースを有している。このデータベースではあとからサポートできる用紙種類を追加することが可能である。一方、コントローラ２０２においても、ユーザが使用したい用紙を登録しできるユーザ用紙データベースを用いて、ユーザが簡単に最適な条件で印刷できるようになっている。
【００１１】
また、前記データベースに登録されている用紙情報の表示に関して様々な方式がある。例えば、特許文献１では、登録されている用紙情報をすべてリストにして表示するのではなく、ユーザの使用条件に基づいて表示を行う技術が開示されている。
【特許文献１】特開２００４−２４０５８５号公報
【発明の開示】
【発明が解決しようとする課題】
【００１２】
しかし、従来の印刷装置ではコントローラのユーザ用紙データベースに新たに用紙を登録する場合、用紙の坪量と普通紙、コート紙といった一般的な紙種属性によって画像形成装置（プリンタ）の対応する用紙種類だけを割り当てていたが、プリンタ用紙データベースが用紙銘柄まで区別するようになり、あとからプリンタ用紙データベースに新たな対応用紙が追加されるなど、その種類や属性は膨大な数となり各ユーザが使用用紙に最適な条件の設定を選択する作業は煩雑で非効率となり、設定の選択間違いによる不良の発生という問題がある。
【００１３】
また、用紙種類の増加により用紙の保管場所やストック数などの管理も複雑になり、作業効率の低下という問題がある。
【００１４】
本発明の目的は、膨大な用紙種類に起因する作業の非効率性、作業間違いによる不良を回避することができる画像形成装置システムを提供することにある。
【課題を解決するための手段】
【００１５】
このような目的を達成するために、請求項１に記載の発明は、画像データから画像を生成する第一の画像生成手段と、前記画像生成手段で生成された画像を出力媒体上に形成する第一の画像形成手段とからなり、前記第一の画像生成手段は出力媒体に関するデータベースを有する画像形成装置システムにおいて、前記データベースのデータを取得する出力媒体データ取得手段と、前記出力媒体データ取得手段が取得した出力媒体データの情報を有する画像を生成する第二の画像生成手段を有することを特徴とする。
【００１６】
請求項２に記載の発明は、前記第二の画像生成手段で生成された画像を出力媒体上に形成する第二の画像形成手段を備えることを特徴とする。
【００１７】
請求項３に記載の発明は、前記第二の画像形成手段により出力媒体上に形成された画像を読み込む読み込み手段を備えることを特徴とする。
【００１８】
請求項４に記載の発明は、前記読み込み手段によって読み込まれた画像から出力媒体データに関するデータを取得するデータ取得手段を備えることを特徴とする。
【００１９】
請求項５に記載の発明は、前記データ取得手段が取得した出力媒体データから前記データベースに登録されている出力媒体データを検索する検索手段と、前記検索手段により検索された出力媒体データを取得する検索データ取得手段を備えることを特徴とする。
【００２０】
請求項６に記載の発明は、前記検索手段により検索された出力媒体データに対して前記データ取得手段が取得した出力媒体データを登録する登録手段と、すでに出力媒体データが存在する場合に出力媒体データを変更する変更手段を備えることを特徴とする。
【００２１】
請求項７に記載の発明は、前記登録手段により前記データベースに出力媒体の保管場所名を登録する保管場所登録手段と、前記データベースに出力媒体のストック数を登録するストック登録手段と、使用された出力媒体に応じて前記ストック登録手段により登録されたストック数を計算する算出手段を備えることを特徴とする。
【００２２】
請求項８に記載の発明は、前記保管場所登録手段により登録されている保管場所と前記ストック登録手段により登録されているストック数を表示する表示手段と、前記第一の画像形成手段に必要な出力媒体がセットされていない場合に前記表示手段により表示させる出力媒体セット指示手段と、前期算出手段により算出されたストック数が設定数より少なくなった場合に前記表示手段により表示させるストック数通知手段を備えることを特徴とする。
【発明の効果】
【００２３】
以上、説明したように、請求項１記載の画像形成装置システムによれば、膨大な用紙種類の中からユーザにとって必要な情報のみを出力したり、状況に応じて出力することでユーザに最適な環境が構築でき、それらの出力物を読み込ませる作業を行うことにより、選択の間違いによる不良を回避し、選択の際の効率化に繋がる。
【００２４】
また、保管場所やストック数を同時に記録し、表示させることでユーザの管理の煩雑さを緩和することが可能になる。
【発明を実施するための最良の形態】
【００２５】
以下本発明を実施するための最良の形態を、実施例により詳しく説明する。
【実施例１】
【００２６】
［システムの概要説明］
図２は本発明の実施例の画像形成装置システムの構成を示すブロック図である。クライアントコンピュータ２０１と、コントローラ２０２はネットワークで接続されている。
【００２７】
クライアントコンピュータ２０１からプリントを行う場合、クライアントコンピュータ２０１で作成されたプリントジョブはネットワークを経由してコントローラ２０２に送られる。本実施例の場合、このプリントジョブは、ページ記述言語（ＰＤＬ：Ｐａｇｅ  Ｄｅｓｃｒｉｐｔｉｏｎ  Ｌａｎｇｕａｇｅ）で記述されたＰＤＬデータである。そして、ＰＤＬコントローラ２０２の中では、クライアントコンピュータ２０１から送られてきたＰＤＬデータはネットワークインタフェース部２０３を経由して受信され、制御部２０４によりバンド毎にラスター画像データに展開され、さらに画像圧縮伸長処理部２０５により圧縮され、画像メモリ２０６に書き込まれる。
【００２８】
ついで、制御系インタフェース部２０７を経由して、デバイスコントローラ１０５に対してプリント指示が行われ、画像メモリ２０６から読み出された圧縮画像データは、画像圧縮伸長処理部２０５により伸長された後、画像系ビデオインタフェース部２０８を経由して、デバイスコントローラ１０５に送られ画像形成が行われプリンタ１０４によって印刷される。なお、制御系インタフェース部２０７を経由して、行われるプリント指示には、デバイスコントローラ１０５での圧縮を制御する圧縮制御パラメータが含まれる。
【００２９】
一方、デバイスコントローラ１０５は、コントローラ２０２からのプリント指示を受け付ける制御系インタフェース部２０９を持ち、受け取った指示は制御部２１１で処理される。デバイスコントローラ１０５は、さらに、コントローラ２０２から送られる画像データを受信するための画像系ビデオインタフェース部２１０を持ち、コントローラ２０２からのプリント指示に含まれる圧縮制御パラメータに基づいて第２の画像圧縮伸長処理部２１２により圧縮され、画像メモリ２１３に書き込まれる。ついで、制御部２１１の指示により、画像メモリ２１３から読み出された圧縮画像データは、第２の画像圧縮伸長処理部２１２により伸長された後、受け取った画像データは制御部２１１で、種々の画像処理が施された後、プリンタＩ／Ｆ部２１５を経由してプリンタ１０４に送られ印刷される。
【００３０】
本実施例のデバイスコントローラ１０５は、さらにスキャナ１０３を持つＭＦＰ（Ｍｕｌｔｉ  Ｆｕｎｃｔｉｏｎ  Ｐｅｒｉｐｈｅｒａｌ）であり、スキャナ１０３で読み取った画像データをコントローラ２０２に送るスキャン機能も持つ。この場合、スキャナ１０３で読み取った画像データは、スキャナＩ／Ｆ部２１６を経由して、画像圧縮伸長処理部２１２により圧縮され、画像メモリ２１３に書き込まれる。ついで、制御系インタフェース部２０７を経由して、コントローラ２０２に対して指示が行われ、画像メモリ２１３から読み出された圧縮画像データは、画像圧縮伸長処理部２１２により伸長された後、画像系ビデオインタフェース部２０８を経由して、コントローラ２０２に送られる。画像系ビデオインタフェース部２０８、２１０は、画像クロックに同期してラスター画像データを搬送するビデオインタフェースであり、画像データは８本の信号線を用いて伝送され、１画素あたり８ｂｉｔのデータが送られる。この８本の信号線は、双方向に使用可能な構成となっており、プリント時には、コントローラ２０２からデバイスコントローラ１０５に向かう向きで使用され、スキャン時には、デバイスコントローラ１０５からコントローラ２０２に向かう向きで使用される。
【００３１】
さらに、本実施例のデバイスコントローラ１０５は、ファクシミリＩ／Ｆ部２１４を持つＭＦＰ（Ｍｕｌｔｉ  Ｆｕｎｃｔｉｏｎ  Ｐｅｒｉｐｈｅｒａｌ）であり、スキャナ１０３で読み取った画像やコントローラ２０２から受け取った画像をファクシミリＩ／Ｆ部２１６を経由して電話回線に送信し、逆に電話回線を介して受信したファクシミリ画像データをプリンタ１０４で印刷する機能も持つ。
【００３２】
操作部１０２は、操作者により種々の操作指示を行うためのものであり、制御系インタフェース部２０７、２０９で使用するネットワークアドレスなどを設定するために使用される。
【００３３】
［スキャナ、プリンタの構成］
図３に、スキャナ１０３、プリンタ１０４の概観図を示す。３１３は、ポリゴンミラーであり、４つの半導体レーザより発光された４本のレーザ光を受ける。その内の１本はミラー３１４、３１５、３１６をへて感光ドラム３１７を走査し、次の１本はミラー３１８、３１９、３２０をへて感光ドラム３２１を走査し、次の１本はミラー３２２、３２３、３２４をへて感光ドラム３２５を走査し、次の１本はミラー３２６、３２７、３２８をへて感光ドラム３２９を走査する。
【００３４】
一方、３３０はイエロー（Ｙ）のトナーを供給する現像器であり、レーザ光に従い、感光ドラム３１７上にイエローのトナー像を形成し、３３１はマゼンタ（Ｍ）のトナーを供給する現像器であり、レーザ光に従い、感光ドラム３２１上にマゼンタのトナー像を形成し、３３２はシアン（Ｃ）のトナーを供給する現像器であり、レーザ光に従い、感光ドラム３２５上にシアンのトナー像を形成し、３３３はブラック（Ｋ）のトナーを供給する現像器であり、レーザ光に従い、感光ドラム３２９上にマゼンタのトナー像を形成する。以上４色（Ｙ，Ｍ，Ｃ，Ｋ）のトナー像がシートに転写され、フルカラーの出力画像を得ることができる。
【００３５】
シートカセット３３４、３３５および、手差しトレイ３３６のいずれかより給紙されたシートは、レジストローラ３３７を経て、転写ベルト３３８上に吸着され、搬送される。給紙のタイミングと同期がとられて、予め感光ドラム３１７、３２１、３２５、３２９には各色のトナーが現像されており、シートの搬送とともに、トナーがシートに転写される。各色のトナーが転写されたシートは、分離され、搬送ベルト３３９により搬送され、定着器３４０によって、トナーがシートに定着される。定着器３４０を抜けたシートはフラッパ３５０により一旦下方向へ導かれてシートの後端がフラッパ３５０を抜けた後、スイッチバックさせて排出する。これによりフェイスダウン状態で排出され、先頭頁から順にプリントしたときに正しいページ順となる。
【００３６】
なお、４つの感光ドラム３１７、３２１、３２５、３２９は、距離ｄをおいて、等間隔に配置されており、搬送ベルト３３９により、シートは一定速度ｖで搬送されており、このタイミング同期がなされて、４つの半導体レーザは駆動される。
【００３７】
［デバイスコントローラ画像処理］
デバイスコントローラ内の制御部２１１で行われる画像処理について説明する。図４には画像処理のフローチャートを示す。ここでは、コントローラ２０２からの印刷処理の場合についてのみ説明する。Ｓ４０１で制御系インタフェース部２０９に印刷開始のコマンドを受信すると印刷処理が開始される。Ｓ４０２で印刷ジョブは画像系ビデオインタフェース部を介して画像メモリ２０６上で指定された圧縮のパラメータに従ってＪＰＥＧ圧縮される。Ｓ４０３で圧縮された印刷ジョブは画像メモリ２１３上にスプールされる。印刷の状況によっては印刷ジョブが不図示のハードディスクにスプールされる場合もある。Ｓ４０４で１ページ分のデータがスプールされると、画像メモリ２１３上の圧縮された印刷ジョブを伸張し、デバイスコントローラ１０５はプリンタ１０４を起動する。Ｓ４０５では色変換をダイレクトマッピングで行う。Ｓ４０６はマスキング処理を行う。Ｓ４０７ではフィルタ処理を行う。Ｓ４０８ではガンマ変換を行う。Ｓ４０９ではスクリーン処理を行う。Ｓ４１０ではスムージング処理を行う。Ｓ４１１ではドラム間補正を行いプリンタ１０４に画像データを送り印刷する。
【００３８】
［用紙データベース］
用紙データベースについて図５を用いて説明する。用紙データベースはデバイスコントローラ１０５の制御系インタフェース部２０９、またはコントローラ２０２の制御系インタフェース部２０７にあり、図５は用紙データベースに登録されている用紙データの一部である。５０２の名称は固定なものもあるが、オペレータが任意で設定可能である。５０３は用紙の銘柄、５０４は用紙サイズ、５０５の坪量は用紙の重さでグラム平方メートルの単位が用いられる。５０６は用紙種類で図５以外にも再生紙やパンチ済み紙などがある。
【００３９】
サポートできる用紙の種類が増えたときには後から追加をすることができる。また、オペレータが登録したカスタム用紙データはインポート、エクスポートの操作により他のプリンタに容易にインストール可能である。
【００４０】
前述の用紙データの操作はプリンタの操作部またはクライアントＰＣ上のユーティリティツールから行うことができ、登録されたデータはプリンタの操作部、またはドライバから用紙データを選択することで使用することができ、用紙に最適な印刷条件で印刷を行うことができる。
【００４１】
図５の用紙情報リスト、図６のフローチャートを用いて、本実施例における用紙情報処理の動作について説明する。
【００４２】
用紙リスト情報を表示する処理が選択されたかを検出する（ステップＳ６０１）。
【００４３】
ステップＳ６０１において選択された場合、用紙リストを表示する（ステップＳ６０２）。図５は、ステップＳ６０２において表示される画面の一例を示している。
【００４４】
ステップＳ６０２において表示された用紙リストより、ユーザが使用する、または使用頻度が高いものなど必要な用紙に対してチェック（５０７）を行う（ステップＳ６０３）。
【００４５】
ステップＳ６０３においてチェックを行った後、「１枚印刷」（５０８）、「リスト印刷」（５０９）、「読み込み」（５１０）のどれかを選択する。
【００４６】
「１枚印刷」とは、用紙一枚上にステップＳ６０３で選択した用紙をそれぞれ一つずつ用紙情報と共にバーコードに変換し印刷する方式である（ステップＳ６０５）。「１枚印刷」は、印刷されたバーコードを用紙束と共に保管する場合などに有効である。「１枚印刷」により印刷されたバーコードの一例を図８に示す。図８において、ステップＳ６０３で選択された用紙名称と用紙情報データベースより検索するのに必要な情報が記録されたバーコードが用紙１枚に対しひとつだけ印字されている。
【００４７】
「リスト印刷」とは、用紙一枚上にステップＳ６０３で選択したすべての用紙の用紙情報をバーコードに変換しリスト形式で印刷する方式である（ステップＳ６０７）。「リスト印刷」は、一度に複数の用紙を登録する場合などに有効である。「リスト印刷」により印刷されたバーコードの一例を図７に示す。図７において、ステップＳ６０３で選択されたすべての用紙名称と用紙情報データベースより検索するのに必要な情報が記録されたバーコードが組みとなり用紙１枚に印字されている。
【００４８】
「読み込み」とは、ステップＳ６０５やステップＳ６０７において印刷された用紙からバーコードを読み込み（ステップＳ６０９）、ステップＳ６０９で読み込んだデータより用紙情報を取得し（ステップＳ６１１）、ステップＳ６１１で取得した用紙と一致する用紙を用紙情報データベースより検索し（ステップＳ６１２）、一致する用紙が存在するかを調べ（ステップＳ６１３）、ステップＳ６１３で一致する用紙が存在する場合には、その用紙情報を設定する（ステップＳ６１４）ことである。
【００４９】
ステップＳ６１３において、一致する用紙が存在しない場合には、設定を行わずに処理を終了する。
【００５０】
本実施例では、用紙情報の印字とその情報の読み込み手段としてバーコードを使用したが、表示及び読み込み可能な手段であれば良いので、本発明はバーコードに限るものではない。
【実施例２】
【００５１】
図９のフローチャート、図１０と図１１の用紙情報バーコード、図１２の用紙情報リストを用いて、本実施例における用紙情報処理の動作について説明する。
【００５２】
図１２の用紙情報リストにおいて、「読み込み」（１２１２）が選択されたかを検出する（ステップＳ９０１）。
【００５３】
ステップＳ９０１において、「読み込み」（１２１２）の選択が検出された場合には、実施例１のステップＳ６０５やステップＳ６０７において印刷された用紙からバーコードを読み込み（ステップＳ９０２）、ステップＳ９０２で読み込んだデータより用紙情報を取得し（ステップＳ９０４）、ステップＳ９０４で取得した用紙と一致する用紙を用紙情報データベースより検索し（ステップＳ９０５）、一致する用紙が存在するかを調べ（ステップＳ９０６）、ステップＳ９０６で一致する用紙が存在する場合には、保管場所情報のバーコードが読み込まれたかを検出する（ステップＳ９０７）。
【００５４】
図１０は、ステップＳ９０７で読み込まれる保管場所情報バーコードの一例である。保管場所の名称とその名称情報が記録されたバーコードが印字されている。図１０のシート１００１は、本発明の画像形成装置システムで作成することが可能であり、ユーザが名称や構成などを作成することが可能である。
【００５５】
ステップＳ９０７において、保管場所情報バーコードが読み込まれた場合には、読み込んだ情報をステップＳ９０６で一致した用紙の用紙情報リストの保管場所に設定する（ステップＳ９０８）。
【００５６】
ステップＳ９０８において、保管場所を設定後、ストック数情報のバーコードが読み込まれたかを検出する（ステップＳ９０９）。
【００５７】
図１１は、ステップＳ９０９で読み込まれるストック数情報バーコードの一例である。ストック数とそのストック数情報が記録されたバーコードが印字されている。図１１のシート１１０１は、本発明の画像形成装置システムで作成することが可能であり、ユーザがストック数や構成などを作成することが可能である。
【００５８】
ステップＳ９０７において、保管場所情報バーコードが読み込まれない場合には、保管場所の設定は行わずにステップＳ９０９を行う。
【００５９】
ステップＳ９０９において、ストック数情報バーコードが読み込まれた場合には、読み込んだ情報をステップＳ９０６で一致した用紙の用紙情報リストのストック数に設定する（ステップＳ９１０）。
【００６０】
ステップＳ９１０において、ストック数を設定後、処理を完了する。
【００６１】
ステップＳ９０９において、ストック数情報バーコードが読み込まれない場合には、ステップＳ９０６で一致した用紙情報を設定する（ステップＳ９１１）。
【００６２】
図１２は、保管場所１２０７、ストック数１２０８が登録されている用紙リストの一例である。
【００６３】
図１３のフローチャート、図１４と図１５の表示画面を用いて、本実施例における保管場所とストック数の表示を説明する。
【００６４】
印刷が選択されたかを検出し（ステップＳ１３０１）、印刷に必要な用紙が印刷装置にセットされているかを検出する（ステップＳ１３０２）。
【００６５】
ステップＳ１３０２において、印刷に必要な用紙が印刷装置にセットされていない場合には、セットする必要がある用紙の補給を促すメッセージを図１２の用紙リストに登録されている保管場所とストック数を記載して表示する（ステップＳ１３０３）。
【００６６】
図１４は、ステップＳ１３０３における画面の表示例である。
【００６７】
ステップＳ１３０２において、印刷に必要な用紙が印刷装置にセットされている場合、及び必要な用紙が補給された場合（ステップＳ１３０４）には、印刷を実行する（ステップＳ１３０５）。
【００６８】
印刷の実行後、印刷された枚数を検出し用紙リストのストック数から使用された枚数を減算し、残りのストック数を算出する（ステップＳ１３０６）。
【００６９】
ステップＳ１３０６において算出されたストック数を最新のストック数として用紙リストを更新する（ステップＳ１３０７）。
【００７０】
ステップＳ１３０７において、更新されたストック数が予め設定されていたストック警告数より少ないかを検出する（ステップＳ１３０８）。
【００７１】
ステップＳ１３０８において、現ストック数が設定ストック警告数よりも少ない場合には、ストック数が少なくなっていることをその用紙の保管場所とストック数を記載して表示する（ステップＳ１３０９）。
【００７２】
図１５は、ステップＳ１３０９における画面の表示例である。
【００７３】
ステップＳ１３０８において、現ストック数が設定ストック警告数よりも多い場合には、処理を完了する。
【００７４】
本実施例では、保管場所とストック数の印字とその情報の読み込み手段としてバーコードを使用したが、表示及び読み込み可能な手段であれば良いので、本発明はバーコードに限るものではない。
【図面の簡単な説明】
【００７５】
【図１】本発明の実施形態の画像処理装置の構成を示す図である。
【図２】画像形成装置システム概観図である。
【図３】画像形成装置のスキャナ１０３、プリンタ１０４を示す図である。
【図４】画像処理のフローチャートを示す図である。
【図５】用紙情報データベースを示す図である。
【図６】用紙情報処理のフローチャートを示す図である。
【図７】用紙情報バーコードを示す図である。
【図８】用紙情報バーコードを示す図である。
【図９】用紙情報処理のフローチャートを示す図である。
【図１０】用紙情報バーコードを示す図である。
【図１１】用紙情報バーコードを示す図である。
【図１２】用紙情報データベースを示す図である。
【図１３】用紙情報処理のフローチャートを示す図である。
【図１４】用紙無しを通知する画面を示す図である。
【図１５】ストック数少を通知する画面を示す図である。
【符号の説明】
【００７６】
１０３  スキャナ
１０４  プリンタ
１０５  デバイスコントローラ
２０１  ホストコンピュータ
２０２  コントローラ
【図１】
2007079701.tif 000003
【図２】
2007079701.tif 000004
【図３】
2007079701.tif 000005
【図４】
2007079701.tif 000006
【図６】
2007079701.tif 000007
【図７】
2007079701.tif 000008
【図８】
2007079701.tif 000009
【図９】
2007079701.tif 000010
【図１０】
2007079701.tif 000011
【図１１】
2007079701.tif 000012
【図１３】
2007079701.tif 000013
【図１４】
2007079701.tif 000014
【図１５】
2007079701.tif 000015
【図５】
2007079701.tif 000016
【図１２】
2007079701.tif 000017